(57)【要約】  本発明は、歯科矯正用アンカーを開示する。アンカーのヘッドの中心にねじ孔が形成され、ねじ孔にキャップが挿入される。これにより、キャップを取り付け／取り外してワイヤーを容易に修理したり交換したりすることができる。アンカーのヘッドにくぼむように形成されたスロットは、底部が天部よりも小さい。これにより、スロットに挿入されたワイヤーの側面を押圧して支持することができる。さらに、スロットが多方向に並べられ、種々の方向にラッチを挿入することができる。スロットは少なくとも１箇所で互いに結合され、ワイヤーは曲げられて少なくとも２つのスロットに挿入され、これによって、スロットとワイヤーとの固定力を向上し、ワイヤーに作用する力を種々の方向に分散させることができる。予め決められた寸法で突出するワイヤーの頂部が、ヘッドの上面に付着された押圧プレートによって押圧されて固定される。
2009513228.tif 000002
【特許請求の範囲】
【請求項１】
ワイヤーと、患者の歯のブラケットに接続された前記ワイヤーを押したり引っ張ったりするための弾力部材とを介して結合され、患者の歯ぐき又は口蓋の骨に固定される、歯科矯正用アンカーであって、
前記骨にねじ結合される、ねじ部と、
前記ねじ部の上端に前記ねじ部に垂直になるように皿形状に形成され、外部に露出させられ、その外周がツールで操作されるために多角形形状に形成された、ヘッドと、
前記ヘッドの上面から陥没して一方向に長く形成された、スロットと、
その頂部が予め決められた寸法で突出した状態で前記スロットに挿入される円柱形状のワイヤーであって、その両端に形成されたフックが前記ヘッドの両側から突出する、ワイヤーと、
前記ワイヤーの前記頂部を前記スロットの中に押し込むため、前記ヘッドの前記上面に付着させられて固定される、押圧プレートと、
を備えたことを特徴とする、歯科矯正用アンカー。
【請求項２】
前記ヘッドの前記上面の中心に、陥没するように形成された固定孔と、
円柱形状に形成され、前記押圧プレートの底面から前記固定孔の方向に突出し、前記固定孔に挿入されて固定される、固定バーと、
を備えたことを特徴とする、請求項１に記載のアンカー。
【請求項３】
前記固定バーの上部の直径が前記固定孔の直径よりも大きく、前記固定バーが前記固定孔に、固定状態に押圧されることができることを特徴とする、請求項２に記載のアンカー。
【請求項４】
前記固定孔の内周にねじ山が形成され、前記固定バーの外周にねじ山が形成され、前記固定バーを前記固定孔にねじ結合することができることを特徴とする、請求項２に記載のアンカー。
【請求項５】
前記押圧プレートの両端から垂直方向に延在し、前記ヘッドの両サイドに付着させられるサイドプレートを備え、該サイドプレートは、垂直方向に曲げられて前記ヘッドの底面に付着させられるフロントエンドを有することを特徴とする、請求項１に記載のアンカー。
【請求項６】
前記スロットの底部の幅がその天部の幅よりも小さく、前記スロットの前記底部の両側の内壁が前記ワイヤーの両サイドを押圧することができることを特徴とする、請求項１乃至５のいずれか一つに記載のアンカー。
【請求項７】
前記スロットは、前記ヘッドの両側を横切る多方向に並べられていることを特徴とする、請求項１乃至５のいずれか一つに記載のアンカー。
【請求項８】
前記スロットは、少なくとも１箇所で互いに接続されるように並べられていることを特徴とする、請求項７に記載のアンカー。
【請求項９】
前記ワイヤーは、少なくとも２つの前記スロットに挿入されるように曲げられていることを特徴とする、請求項８に記載のアンカー。
【請求項１０】
前記スロットは、各頂点が互いに接続される三角形形状に、前記ヘッドの上面から陥没するように形成され、前記ワイヤーの中心線は、前記スロットに挿入されるために三角形形状に曲げられていることを特徴とする、請求項９に記載のアンカー。
【発明の詳細な説明】
【技術分野】
【０００１】
本発明は、歯科矯正用デバイスに関し、より詳しくは、歯を動かすために患者の歯の近くに取り付けられる歯科矯正用アンカーに関する。
【背景技術】
【０００２】
一般に、歯科矯正用デバイスは、歯の損傷や不正咬合のため歯や歯ぐきにトラブルがある患者や、美容のために歯並びを整えたい患者のために使用される。
【０００３】
歯科矯正用デバイスにおいて、ブラケットが各歯に付着され、歯の間の隙間をふさいだり歯列を変形させたりするために、目標方向に引っ張られる。
【０００４】
さらに、歯科矯正用デバイスは、通常、患者の唇側にブラケットを取り付け、ワイヤーでブラケットを引っ張ったり押したりする唇側歯科矯正と、ブラケットを患者の舌側に取り付けてブラケットをワイヤーで引っ張ったり押したりする舌側歯科矯正とで用いる。
【０００５】
歯の舌側に取り付けられた歯科矯正用デバイスは外から見えないため、患者は舌側歯科矯正を好む。
【０００６】
図１乃至３に示すように、舌側歯科矯正用に使用される従来の歯科矯正用デバイスは、通常、アンカー８０と、弾力部材９４と、フック９３と、ワイヤー９１と、ブラケット９０と、バンド９２とを含む。
【０００７】
バンド９２は、ワイヤー９１の力を臼歯全体に作用させるため、患者の臼歯のまわりに配置される。
【０００８】
ブラケット９０は皿形状に形成され、患者の歯の唇側又は舌側の表面に面結合され、接着剤８５を介して固定される。ブラケット９０にはスロットが形成され、その中にワイヤーを挿入して固定することができるようになっている。スロットに挿入されたワイヤー９１を弾力のあるＯリングや連結ワイヤーで固定するため、各ブラケット９０は、Ｏリングや連結ワイヤーが挿入されるフレームを有している。
【０００９】
ワイヤー９１は、ブラケット９０のスロットに差し込まれて固定される一般的な金属ワイヤーである。一般に、ワイヤー９１は、患者の口の中でほとんど酸化したり腐食したりすることがないチタンのような耐食性が高い金属から作られる。
【００１０】
歯に接着されたブラケットに接続する１本のワイヤー９１の端に、フック９３が形成されている。フック９３には、弾力部材９４が結合される。
【００１１】
弾力部材９４は、弾力のあるＯリングやスプリングで作られ、アンカー８０の方向にフック９３を弾力的に押したり引っ張ったりするため、アンカー８０とフック９３との間を結合する。
【００１２】
図２及び３に示されるように、アンカー８０は、ねじ部８２と、ヘッド８３と、挿入スロット８４とを含む。
【００１３】
ねじ部８２は、円柱形状に形成され、患者の歯ぐきや口蓋の骨の中に挿入されて固定される。ねじ部８２の外周には、複数のねじ山が形成されている。
【００１４】
ヘッド８３は、ねじ部８２の基端に、皿形状に形成され、ねじ部８２に対して垂直になっている。ヘッド８３の外周は、レンチのような道具で回転させられる正方形あるいは六角形のような多角形形状に形成されている。
【００１５】
挿入スロット８４は、ヘッドの中心に、ワイヤー８１の断面と類似の断面を有する溝穴をへこませるように形成されたものである。ワイヤー８１は、スロット８４に挿入できる。
【００１６】
ワイヤー８１はアンカー８０まで延在する弾力部材９４を固定する。ここで、ワイヤー９１は、弾力部材９４が口蓋と歯ぐきから隔離され得るように、アンカー８０から距離を隔てた状態で、弾力部材を固定する。
【００１７】
さらに図２及び３を参照すると、ワイヤー８１は、アンカー８０のスロット８４に挿入されて固定される一端と、弾力部材９４に接続するためフック形状に形成された他端とを有する。
【００１８】
アンカー８０のスロット８４に挿入されるワイヤー８１は、ワイヤー８１とスロット８４の間に塗布された接着剤８５を介して、スロット８４に接着される。
【００１９】
図１乃至３に示されるように、従来の歯科矯正デバイスを用いる唇側歯科矯正、特に、患者の臼歯を前歯の方向へ引っ張る歯科矯正によれば、バンド９２は患者の両側の臼歯の周りに配置され、ブラケット９０は、接着剤８５を介して歯の舌側表面のバンド９２の片側の表面に固定され、ブラケット９０は、接着剤８５を介してバンド９２を適用できない他の歯の舌側表面に固定され、臼歯に接着された複数のブラケット９０と他の歯は、１本のワイヤーで接続される。
【００２０】
複数のブラケット９０に接続するワイヤー９１の端に、フック９３が形成されている。アンカー８０は、口蓋の上にフック９３を引く方向に取り付けられ、通常は、患者の前歯の内側の口蓋の上に取り付けられる。
【００２１】
アンカー８０の取り付け時に、アンカー８０のヘッド８３にツールが押しつけされて回されることにより、ヘッド８３の下部に形成されたねじ部８２を口蓋に挿入して口蓋の内側の骨に固定することができる。
【００２２】
アンカー８０が固定された状態で、口蓋の外側部分に露出するヘッド８３のスロット８４に、接着剤８５が塗布される。
【００２３】
接着剤８５が塗布されたスロット８４の中に、ワイヤー８１が挿入される。そのために、ワイヤー８１は接着剤８５を介して、スロット８４の中に固定される。
【００２４】
この場合、ワイヤー８１は、接着剤８５の接合強度によって、アンカー８０のスロット８４の中に固定される。さらに、患者の口の中の両側に挿入された弾力部材９４に対応して、弾力部材９４の弾力を維持するため、２つのアンカー８０が形成される。
【００２５】
ワイヤー８１がアンカー８０のスロット８４に固定された状態で、弾力部材９４の両端はワイヤー８１のフックとフック９３とに弾力的に結合される。
【００２６】
そのために、弾力部材９４はワイヤー８１に結合され、フック９３は、ワイヤー８１とフック９３とを押圧するために、縮められたりゆるめられたりする。ワイヤー８１がアンカー８０に固定されているため、フック９３は弾力部材９４が縮んだり伸びたりする方向に押される。
【００２７】
弾力部材９４は、約３Ｎより小さい弾力で、フック９３とワイヤー８１とに結合され、したがって、ワイヤー８１は、約３Ｎに耐える接合力を有する接着剤８５によって、スロット８４に固定される。
【００２８】
また、図１乃至３を参照すると、弾力部材９４は、フック９３を引くために、弾力を有するＯリング、コイルスプリング、あるいは動力チェーンで作られる。したがって、フック９３につながれたワイヤー９１は、アンカー８０の方向に引っ張られ、ワイヤー９１に接続されたブラケット９０はアンカー８０の方向に引っ張られて、ブラケット９０に接続された歯は、アンカー８０の方向に押されて移動させられるようになる。
【００２９】
しかしながら、従来の歯科矯正用デバイスのアンカー８０は、ワイヤー８１が接着剤８５だけで固定されるという不都合ある。接着剤８５を、口の狭くて湿った環境に適用することは難しい。たとえ接着剤８５が十分に使用されても、接着剤８５の接合力は簡単に減少する。その結果、ワイヤー８１がアンカー８０から離れ、患者の歯を効率的に動かすことができなくなる。
【００３０】
一般に、接着剤８５が耐えうるせん断力は、弾力部材９４の弾力よりも小さい。２つの弾力部材９４の弾力は、接着剤８５によって接続されたワイヤー又はそれ以上ワイヤーによって支えられなければならない。したがって、ワイヤー８１とアンカー８０は弾力部材９４と同じ数を取り付けなければならない。通常、２個のアンカー８０と２本のワイヤー８１が患者の口蓋の上に取り付けられ、２つの弾力部材９４が、それぞれ、２本のワイヤー８１に接続される。
【００３１】
接着剤８５の接合力よりも大きい弾力を有する弾力部材９４を用いること、あるいは、弾力部材９４の個数を増やすことにより弾力部材９４の弾力を改善することは、不可能である。したがって、それぞれの患者に適切な操作を行なうことが難しい。
【００３２】
アンカー８０のヘッド８３に形成されたスロット８４は、ヘッド８３の中心部を横断する。ワイヤー８１の方向を変えるために、アンカー８０のねじ部８２を骨にさらに挿入したり、骨から引き抜いたりすることによって、スロット８４の向きを変える。しかし、予め決定された深さで固定されたアンカー８０のねじ部８２がさらに挿入されたり、あるいは引き出されたりするため、アンカー８０の固定が不安定になり、あるいは、アンカー８０が固定されている骨の部分にダメージを与える。
【００３３】
さらに、ワイヤー８１を取り外して取り付け直し、別の使い方をするためには、接着剤８５を取り除く必要がある。このとき、スロット８４とヘッド８３は簡単に損傷する。そのため、ワイヤー８１を再び接着することが難しく、あるいは不可能である。
【発明の開示】
【発明が解決しようとする課題】
【００３４】
本発明は、上記問題を解決しようとするものである。本発明の一つの目的は、アンカーに結合されたワイヤーをしっかりと固定することができ、修理や取替えのためにワイヤーを容易に接続したり取り外したりすることができる歯科矯正用アンカーを提供することである。
【００３５】
本発明の他の目的は、アンカーに結合されたワイヤーをさまざまな方向に固定することができる歯科矯正用アンカーを提供することである。
【００３６】
本発明のさらに別の目的は、１個のアンカーで複数の弾力部材を支持することができ、アンカー及びワイヤーの結合強度を向上することにより１本のワイヤーを支持することができる歯科矯正用アンカーを提供することができある。
【００３７】
本発明のさらに別の目的は、アンカーに結合されたワイヤーの部分がワイヤーに作用する力の方向に対して傾くことができるようにすることによって、ワイヤーとアンカーとの間の結合強度を向上することができる歯科矯正用アンカーを提供することである。
【課題を解決するための手段】
【００３８】
本発明の上記目的を達するために、ワイヤーが挿入される本体と、本体に挿入されたワイヤーを本体の方向に押圧するためのキャップとを含む、歯科矯正用アンカーが提供される。
【００３９】
本発明の他の側面によれば、本体は、ねじ形状に形成されて骨に挿入されるねじ部と、ねじ部の上端にねじ部に垂直になるように皿形状に形成されたヘッドと、ヘッドの外周に形成された、ツールで操作するためのアングルと、ヘッドの上面から内側にくぼみ、ワイヤーの断面と類似の断面を有するスロットと、ヘッドの上面の中心から内側に棒形状にくぼむ固定孔とを含む。
【００４０】
本発明のさらに他の側面によれば、キャップは、固定孔に挿入されて固定される固定バーと、固定バーの上端に接合され、スロットに安定して配置されたワイヤーの頂部を内側に押圧する押圧プレートとを含む。
【００４１】
本発明のさらに他の側面によれば、スロットは、ヘッドの上面において１方向に長く形成され、種々の方向に延在する。
【００４２】
本発明のさらに他の側面によれば、複数のスロットは互いに接続され、１本のワイヤーが２本又はそれ以上の本数のスロットの形状用に曲げられ、そのスロットに挿入される。
【００４３】
本発明のさらに他の側面によれば、各スロットは、広い天部と狭い底部とを有し、スロットの内面の両側がワイヤーを圧縮することができる。
【００４４】
本発明のさらに他の側面によれば、キャップの固定バーは、ヘッドの固定孔内で押圧される。
【００４５】
本発明のさらに他の側面によれば、キャップの固定バーは、ヘッドの固定孔にねじ結合される。
【００４６】
本発明のさらに他の側面によれば、曲げられたフロントエンドを有するサイドプレートが、キャップの押圧プレートの両端に形成され、ヘッドの外周の上面と底面とにしっかりと付着される。ヘッドの上面及び底面に付着される押圧プレートは、ヘッドに配置されたワイヤーを押圧して固定する。
【図面の簡単な説明】
【００４７】
本発明は、添付図面を参照することで、より一層理解されるであろう。添付図面は実施例のみを示し、したがって本発明を限定するものではない
【００４８】
図１及び２は、従来の歯科矯正用デバイスを示す斜視図である。
【００４９】
図３は、従来のアンカーの分解状態を示し斜視図である。
【００５０】
図４及び５は、本発明に係る歯科矯正用デバイスを示す斜視図である。
【００５１】
図６は、本発明に係るアンカーの分解状態を示す斜視図である。
【００５２】
図７は、本発明に係るアンカーを示す平面図である。
【００５３】
図８乃至１０は、本発明に係るアンカーのラッチ溝を示す断面図である。
【００５４】
図１１乃至１３は、本発明に係るキャップを示す斜視図である。
【００５５】
図１４は、本発明に係るアンカーを示す斜視図である。
【００５６】
図１５は、本発明に係るアンカーとラッチを示す平面図である。
【発明を実施するための最良の形態】
【００５７】
本発明の好ましい実施例に係る歯科矯正用アンカーについて、添付図画を参照しながら詳細に説明する。
【００５８】
図１乃至３と同じ要素については同じ符号を用い、その詳細な説明を省略する。
【００５９】
図４は、患者の上の歯１０の舌側に取り付けられた歯科矯正用デバイス２０を示す。図５は、本発明に係る歯科矯正用デバイスを示す。図６は、本発明に係るアンカー５０の分解状態を示す。図７は、本発明に係るアンカー５０のヘッド６２の上面構造を示す。図８乃至１０は、本発明に係るスロット６３の断面構造を示す。図１１乃至１３は、本発明に係る押圧プレートとキャップねじ７２の種々の例を示す。図１４は、本発明に係る押圧プレート７２の組み立て状態を示す。図１５は、本発明にしたがって、曲げられた中心線を有するワイヤー４０が、互いに接続される２つのスロットに挿入されている状態を示す。
【００６０】
図６に示されるように、アンカー５０は、ワイヤー４０と本体６０とキャップねじ７０とを含む。
【００６１】
本体６０は、ねじ部６１と、ヘッド６２、スロット６３と、固定孔６４とを含む。
【００６２】
ねじ部６１は、アンカー５０が取り付けられた患者の歯ぐき又は口蓋１１の骨の中に挿入されて固定される。ここで、ねじ部６１には、回転することにより挿入され固定されるためのねじ形状が形成されている。
【００６３】
ヘッド６２は、ねじ部６１の上端に、ねじ部６１と垂直方向になるように、皿形状に成されている。ヘッド６２の外周は、ツールで操作されるために多角形形状に形成されている。
【００６４】
固定孔６４は、ヘッド６２の中心に円柱形状に穴あけされ、後述する固定バー７１を固定孔６４に挿入することができるようになっている。
【００６５】
スロット６３は、ヘッド６２の上面に形成され、ワイヤー４０の断面と同様の断面を有する。各スロット６３は、一方向に長く、内側に陥没するように形成されている。スロット６３は、ヘッド６２の両側を横断して、ワイヤー４０の両端をスロット６３から外側に延在させることができる。
【００６６】
図７に示されるように、スロット６３は、それぞれ、ヘッド６２の上面の一端から他端まで延在する。さらに、スロット６３は多数が形成され、ヘッド６２の固定孔６４の部分以外の略全面に形成される。好ましくは、ヘッド６２の形に応じて１乃至６本のスロット６３が適切に並べられる。この実施例において、スロット６３は、中心の固定孔６４の周りに、三角形形状に並べられている。
【００６７】
好ましくは、複数本のスロット６３が、少なくとも１箇所で互いに接続される。
【００６８】
この実施例において、さらに図７を参照すると、スロット６３は固定孔６４の周りに三角形形状に並べられ、三角形の各頂点で互いに接続されている。
【００６９】
図６に示されるように、ワイヤー４０は円柱形状に形成される。ワイヤー４０の両端にはフックが形成され、そこに弾力部材３４の端部を結合することができるようになっている。
【００７０】
ワイヤー４０は種々の形、例えば、矩形断面や円形断面に形成することができる。
【００７１】
図８乃至１０に示されるように、スロット６３は、ワイヤー４０の断面に対応して矩形断面や円形断面を有することができる。図１０に示されるように、スロット６３は、広い天部と狭い底部を持つ台形形状に形成することができる。
【００７２】
この場合、図１０の台形のスロット６３は、挿入されたワイヤー４０の両側を押圧し、それによってしっかりとワイヤー４０を固定する。矩形あるいは円形のスロット６３は、ワイヤーの断面と類似の断面を有する。ワイヤー４０がスロット６３に挿入されるとき、ワイヤー４０の両側面又は底面は、スロット６３に密着する。
【００７３】
好ましくは、ワイヤー４０がスロット６３に挿入された状態において、ワイヤー４０の頂部は、予め決められた寸法で突出し、後述する押圧プレート７２によって押圧される。
【００７４】
図６に示されるように、キャップ７０は固定バー７１と押圧プレート７２とを含む。
【００７５】
固定バー７１は、棒形状に形成され、固定孔６４に挿入されて固定される。
【００７６】
押圧プレート７２は、皿形状に形成され、固定バー７１と垂直な方向に、固定バー７１の上端に結合される。
【００７７】
図１１及び１２を参照すると、押圧プレート７２の外周は、ツールで操作するため多角形形状に形成されている。固定バー７１に垂直な押圧プレート７２は、その外周が多角形になるように、固定バー７１の軸方向に延在する平らな外表面が形成され、押圧プレート７２をツールで操作することができるようになっている。
【００７８】
また、図１１を参照すると、固定バー７１の直径は、押圧プレート７２に隣接する位置では固定孔６４の直径よりも大きく、下端に向かって次第に減少している。そのために、固定バー７１は固定孔６４に、固定状態に押圧されることができる。図１２に示されるように、ねじ山７３が固定バー７１の外周に形成されている。固定バー７１が挿入される固定孔６４の内周には、ねじ山７３に対応するねじ山が形成されている。ねじ山が互いに噛み合い、固定バー７１を固定孔６４に固定することができる。
【００７９】
図１３及び１４に示されるように、押圧プレート７２の両側にサイドプレート７４が形成され、押圧プレート７２をヘッド６２に摺動自在に結合することができる。
【００８０】
サイドプレート７４は、押圧プレートの両端から下向きに延在する。サイドプレート７４のフロントエンドは、内側中心に向けて曲げられている。これによって、押圧プレート７２はヘッド６２の上面に付着させられ、サイドプレート７４はヘッド６２の両側面に付着させられ、サイドプレート７４の曲げられたフロントエンドはヘッド６２の両側の底面に付着させられる。
【００８１】
次に、本発明に係る歯科矯正用アンカー５０の操作プロセスと効果について説明する。
【００８２】
図４に示されるように、歯科矯正用デバイス２０を使うことによって臼歯を前歯方向に引っ張るための操作は、患者の舌側の歯１０に対して実施される。
【００８３】
バンド３２が患者の臼歯の周りに配置され、ブラケット３０がバンド３２に接着される。
【００８４】
バンド３２を適用することができない歯１０の下側表面には、接着剤を介してブラケット３０が接着される。
【００８５】
歯科矯正ため歯１０に接着された複数のブラケットは、１本のワイヤー３１で結合される。ワイヤー３１がブラケット３０に結合された状態において、ワイヤー３１は、弾力を有するＯリングあるいは外科用ホチキスを使うことによって、ブラケット３０に固定されている。
【００８６】
各ブラケット３０とワイヤー３１とが結合された状態で、フック３３が、ワイヤー３１の端部、又はワイヤー３１の端部が結合されたブラケット３０に、結合される。
【００８７】
アンカー５０は、臼歯などの歯科矯正の対象となる歯１０を押したり引っ張ったりする位置、すなわち患者の前歯の内側の口蓋１１に適用される。
【００８８】
操作者は、アンカー５０の本体６０のヘッド６２の外周を保持し、ツールを用いてヘッド６２を回転し、それによってアンカー５０を口蓋１１に挿入する。
【００８９】
本体６０のねじ部６１に形成された複数のねじ山が回転し、ねじ部６１を口蓋１１の骨に挿入して固定する。
【００９０】
本体６０のねじ部６１が骨に挿入されて固定された状態で、ヘッド６２の上面に形成されたスロット６３の１つに、ワイヤー４０を挿入する。
【００９１】
ここで、ワイヤー４０は一方向に長く形成されている。図６及び７に示されているように、スロット６３は、三角形形状に並べられている。
【００９２】
ワイヤー４０をスロット６３の１つに挿入して固定する。ワイヤー４０をスロット６３にしっかりと配置したら、ヘッド６２の中心に形成された固定孔６４にキャップ７０を固定する。
【００９３】
スロット６３とワイヤー４０とが同様の断面形状を有しているので、ワイヤー４０はスロット６３の中に密接に固定される。図１０に示されているように、台形のスロット６３にワイヤー４０が挿入されるとき、底面に向かって狭くなるスロット６３の両側の内壁で、ワイヤー４０の底端部の両側が圧縮され、ワイヤー４０は、スロット６３の底面から適切な空間で隔離されることができる。
【００９４】
ワイヤー４０がスロット６３に安定して配置されている状態で、キャップ７０が固定孔６４に固定されるとき、予め決められた寸法でヘッドの６２の上面から突出するワイヤー４０の頂端をスロット６３の底方向に押圧するために、キャップ７０の押圧プレート７２がヘッド６２の上面に付着される。
【００９５】
さらに、図１０に示されるように、台形のスロット６３に挿入されたワイヤー４０が、押圧プレート７２の加圧によって、スロット６３の底に向けて動かされるとき、ワイヤー４０の両端とスロット６３の両側の内壁とがより一層押圧されて固定される。
【００９６】
一般的な接着剤（固定力３Ｎ）で固定されたワイヤーと比較すると、スロット６３に付着され押圧プレート７２で押圧されるワイヤー４０は、少なくとも２倍の力、すなわち６から２０Ｎで支持することができる。
【００９７】
ここでは、キャップ７０の固定バー７１を固定孔６４に挿入して固定する。固定バー７１の下端の直径が小さく、固定バー７１の上端の直径が固定孔６４の直径よりも大きいため、固定バー７１の上部は、固定孔６４にキャップ７０を固定するために、固定孔６４の内面に付着されて圧縮され、キャップ７０の押圧プレート７２は、スロット６３に挿入されたワイヤー４０の頂部を押圧して固定する。
【００９８】
図１２に示されるように、ねじ山７３が固定バー７１の外周に形成されるとき、ねじ山７３は固定孔６４の内周に形成されたねじ山に噛み合う。したがって、固定バー７１は、回転しながら固定孔６４に挿入されて固定される。押圧プレート７２は、スロット６３に挿入されたワイヤー４０の頂部を内側に押圧するため、ヘッド６２の上面に付着させられる。
【００９９】
また、図１３に示されるように、押圧プレート７２の両側にサイドプレート７４が形成されるとき、図１４に示されるように、ワイヤー４０は、ヘッド６２の上面に形成されたスロット６３に、安定して配置される。ワイヤーが安定して配置されている状態で、サイドプレート７４が形成されていない押圧プレート７２の一つの面は、ヘッド６２から外側に突出しているワイヤー４０の表面に接触し、したがって押圧プレート７２はヘッド６２の上に挿入される。
【０１００】
ここで、押圧プレート７２はヘッド６２の上面に付着され、サイドプレート７４はヘッド６２の両側面に付着され、サイドプレート７４のフロントエンドはヘッド６２の底面に付着される。これにより、押圧プレート７２はヘッド６２に固定される。押圧プレート７２がヘッド６２の上面に付着されて固定されると、予め決められた寸法で突出するワイヤー４０の頂部は、スロット６３の方向に、押圧プレート７２によって押圧される。
【０１０１】
複数のスロット６３は、少なくとも１箇所で互いに結合されるので、複数のスロット６３は相互に接続された経路を形成する。多数の部分で曲げられたワイヤー４０が、種々の方向から加えられる圧力を支えるため、スロット６３を接続する経路に挿入される。
【０１０２】
この実施例において、３つのスロット６３がヘッド６３の上面において三角形に並べられ、スロット６３の端部が、ヘッド６２の外周で互いに結合されているとき、ワイヤー４０の中心線は三角形形状に曲げられる。図１５に示されるように、曲げられたワイヤー４０は、スロット６３の２つに挿入されて固定される。
【０１０３】
三角形のワイヤー４０が三角形のスロット６３に挿入され、弾性による押圧力又は引張力を生成するためにワイヤー４０の両端に形成されたフックに弾力部材３４が結合されると、三角形のワイヤー４０とフックに結合されたワイヤー４０に対して傾斜している三角形のスロット６３とは、フックにつながれたワイヤー４０の力を種々の角度のベクトルに分散し、それによって、フックに作用する力を効率的に支える。
【０１０４】
三角形のワイヤー４０が三角形のスロット６３に挿入されるため、ワイヤー４０とスロット６３との接触領域が増加し、ワイヤー４０の頂部は、押圧プレート７２によってより一層、押圧される。その結果、ワイヤー４０に作用する力は十分に支えられ、ワイヤー４０はスロット６３の中にしっかりと固定される。
【０１０５】
すなわち、アンカー５０の本体６０のねじ部６１は、患者の口蓋１１の骨の中に挿入されて固定され、スロット６３は固定された本体６０のヘッド６２の表面に形成され、ワイヤー４０は、ヘッド６２の両側から突出させられるため、スロット６３に挿入され、ワイヤー４０の頂部は、６から２０Ｎを支えるために、ヘッド６２に付着されて固定された押圧プレート７２によって押圧される。したがって、弾力を作用させるためワイヤーの両端に形成されたフックに結合される弾力部材３４の弾力（３Ｎより小さい）を十分に支えることできる。スロット６３の内面がワイヤー４０を押圧して支持するので、ワイヤー４０の分離が防止される。また、少なくとも１箇所で複数のスロット６３が互いに結合され、曲げられたワイヤー４０が少なくとも２つの互いに結合されたスロット６３に挿入されて固定される。したがって、ワイヤー４０を押したり引っ張ったりするための弾力部材３４の力は、多方向のベクトルに分散される。その結果、ワイヤー４０に引っ掛けられた２つの弾力部材３４の力を、効率的に支えることができる。
【０１０６】
さらに、中心の固定孔６４を除き、アンカー５０のヘッド６２の全面に、スロット６３が種々の角度で形成されている。アンカー５０の固定方向にかかわらず、多方向のスロット６３のうち目標方向に形成されたスロット６３に、ワイヤー４０を挿入して固定することができる。
【０１０７】
本発明の好ましい実施例について説明したが、本発明はこれらの好ましい実施例に限定されるべきではなく、当業者であれば、特許請求の範囲に記載された本発明の技術的範囲内で、種々の変更や変形が可能である。
【図１】
2009513228.tif 000003
【図２】
2009513228.tif 000004
【図３】
2009513228.tif 000005
【図４】
2009513228.tif 000006
【図５】
2009513228.tif 000007
【図６】
2009513228.tif 000008
【図７】
2009513228.tif 000009
【図８】
2009513228.tif 000010
【図９】
2009513228.tif 000011
【図１０】
2009513228.tif 000012
【図１１】
2009513228.tif 000013
【図１２】
2009513228.tif 000014
【図１３】
2009513228.tif 000015
【図１４】
2009513228.tif 000016
【図１５】
2009513228.tif 000017